【手続補正書】
【提出日】平成24年3月30日(2012.3.30)
【手続補正１】
【補正対象書類名】特許請求の範囲
【補正対象項目名】全文
【補正方法】変更
【補正の内容】
【特許請求の範囲】
【請求項１】
樹脂成形用金型により成形され、光学機能部と該光学機能部の周辺にフランジ部を有し、
前記光学機能部のＮＡ値が０．７以上であり、
前記光学機能部は互いに向かい合う第１光学機能面と第２光学機能面とを有し、
前記第１光学機能面のほうが前記第２光学機能面よりも曲率が小さく、
前記フランジ部の前記第１光学機能面側の面に、前記樹脂成形用金型に設けられた突き出し部の突き出し跡部を複数有し、前記突き出し跡部のある面は、前記突き出し跡部のある面の周囲の面と異なる高さであることを特徴とする光ピックアップ装置用対物レンズ。
【請求項２】
前記突き出し部跡のある面は、前記フランジ部の前記第１光学機能側の面の他の面より低く形成されていることを特徴とする請求項１に記載の光ピックアップ装置用対物レンズ。
【請求項３】
前記第２光学機能面と前記フランジ部の前記第２光学機能面側の面とが、それぞれの延長線で繋いだ形状に形成されていることを特徴とする請求項１又は請求項２に記載の光ピックアップ装置用対物レンズ。
【請求項４】
前記フランジ部の前記第２光学機能面側の面に、表面粗さＲｙが０．３μｍ以下となる部分を有することを特徴とする請求項３に記載の光ピックアップ装置用対物レンズ。
【請求項５】
前記突き出し部跡は、前記光ピックアップ装置用対物レンズの光学機能面のうち有効径の小さい方のフランジ面にあることを特徴とする請求項１〜４のいずれか１項に記載の光ピックアップ装置用対物レンズ。
【請求項６】
前記フランジ部の厚み方向で、前記突き出し部跡のある側が厚くなる位置にパーティングラインが形成されていることを特徴とする請求項１〜５のいずれか１項に記載の光ピックアップ装置用対物レンズ。
【請求項７】
前記パーティングラインを境にして、前記突き出し部跡のある側のフランジ部の抜きテーパ角度が、前記突き出し部跡の無い側のフランジ部の抜きテーパ角度以下に形成されていることを特徴とする請求項６に記載の光ピックアップ装置用対物レンズ。
【請求項８】
前記突き出し部跡の円周方向の異なる位置にゲート部が形成されていることを特徴とする請求項１〜７のいずれか１項に記載の光ピックアップ装置用対物レンズ。
【請求項９】
樹脂成形用金型により成形され、光学機能部と該光学機能部の周辺にフランジ部が形成され前記光学機能部のＮＡ値が０．７以上の光ピックアップ装置用対物レンズであって、
前記光学機能部は互いに向かい合う第１光学機能面と第２光学機能面とを有し、
前記第１光学機能面のほうが前記第２光学機能面よりも曲率が小さく、
前記フランジ部の外周の半径方向に突起部を形成し、前記突起部またはゲート部の少なくとも一方に前記樹脂成形用金型に設けられた突き出し部の突き出し部跡を前記第１光学面側の面に有することを特徴とする光ピックアップ装置用対物レンズ。
【請求項１０】
前記突き出し部跡は、前記突き出し部跡のある側の光学機能部の前記第１光学機能面の光軸上の位置より０．００５ｍｍ〜０．５ｍｍ他方の光学機能部側に位置していることを特徴とする請求項１〜９のいずれか１項に記載の光ピックアップ装置用対物レンズ。
【手続補正２】
【補正対象書類名】明細書
【補正対象項目名】発明の名称
【補正方法】変更
【補正の内容】
【発明の名称】光ピックアップ装置用対物レンズ
【手続補正３】
【補正対象書類名】明細書
【補正対象項目名】０００１
【補正方法】変更
【補正の内容】
【０００１】
本発明は樹脂成形用金型により成形される光ピックアップ装置用対物レンズに関するものである。
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】変更
【補正の内容】
【００２４】
１．樹脂成形用金型により成形され、光学機能部と該光学機能部の周辺にフランジ部を有し、前記光学機能部のＮＡ値が０．７以上であり、前記光学機能部は互いに向かい合う第１光学機能面と第２光学機能面とを有し、前記第１光学機能面のほうが前記第２光学機能面よりも曲率が小さく、前記フランジ部の前記第１光学機能面側の面に、前記樹脂成形用金型に設けられた突き出し部の突き出し跡部を複数有し、前記突き出し跡部のある面は、前記突き出し跡部のある面の周囲の面と異なる高さであることを特徴とする光ピックアップ装置用対物レンズ。
２．前記突き出し部跡のある面は、前記フランジ部の前記第１光学機能側の面の他の面より低く形成されていることを特徴とする１に記載の光ピックアップ装置用対物レンズ。
【手続補正１５】
【補正対象書類名】明細書
【補正対象項目名】００２５
【補正方法】変更
【補正の内容】
【００２５】
３．前記第２光学機能面と前記フランジ部の前記第２光学機能面側の面とが、それぞれの延長線で繋いだ形状に形成されていることを特徴とする１又は２に記載の光ピックアップ装置用対物レンズ。
【手続補正１６】
【補正対象書類名】明細書
【補正対象項目名】００２６
【補正方法】変更
【補正の内容】
【００２６】
４．前記フランジ部の前記第２光学機能面側の面に、表面粗さＲｙが０．３μｍ以下となる部分を有することを特徴とする３に記載の光ピックアップ装置用対物レンズ。
【手続補正１７】
【補正対象書類名】明細書
【補正対象項目名】００２７
【補正方法】削除
【補正の内容】
【手続補正１８】
【補正対象書類名】明細書
【補正対象項目名】００２８
【補正方法】変更
【補正の内容】
【００２８】
５．前記突き出し部跡は、前記光ピックアップ装置用対物レンズの光学機能面のうち有効径の小さい方のフランジ面にあることを特徴とする１〜４のいずれかに記載の光ピックアップ装置用対物レンズ。
【手続補正１９】
【補正対象書類名】明細書
【補正対象項目名】００２９
【補正方法】変更
【補正の内容】
【００２９】
６．前記フランジ部の厚み方向で、前記突き出し部跡のある側が厚くなる位置にパーティングラインが形成されていることを特徴とする１〜５のいずれかに記載の光ピックアップ装置用対物レンズ。
【手続補正２０】
【補正対象書類名】明細書
【補正対象項目名】００３０
【補正方法】変更
【補正の内容】
【００３０】
７．前記パーティングラインを境にして、前記突き出し部跡のある側のフランジ部の抜きテーパ角度が、前記突き出し部跡の無い側のフランジ部の抜きテーパ角度以下に形成されていることを特徴とする６に記載の光ピックアップ装置用対物レンズ。
【手続補正２１】
【補正対象書類名】明細書
【補正対象項目名】００３１
【補正方法】変更
【補正の内容】
【００３１】
８．前記突き出し部跡の円周方向の異なる位置にゲート部が形成されていることを特徴とする１〜７のいずれかに記載の光ピックアップ装置用対物レンズ。
【手続補正２２】
【補正対象書類名】明細書
【補正対象項目名】００３２
【補正方法】変更
【補正の内容】
【００３２】
９．樹脂成形用金型により成形され、光学機能部と該光学機能部の周辺にフランジ部が形成され前記光学機能部のＮＡ値が０．７以上の光ピックアップ装置用対物レンズであって、前記光学機能部は互いに向かい合う第１光学機能面と第２光学機能面とを有し、前記第１光学機能面のほうが前記第２光学機能面よりも曲率が小さく、前記フランジ部の外周の半径方向に突起部を形成し、前記突起部またはゲート部の少なくとも一方に前記樹脂成形用金型に設けられた突き出し部の突き出し部跡を前記第１光学面側の面に有することを特徴とする光ピックアップ装置用対物レンズ。
【手続補正２３】
【補正対象書類名】明細書
【補正対象項目名】００３３
【補正方法】変更
【補正の内容】
【００３３】
１０．前記突き出し部跡は、前記突き出し部跡のある側の光学機能部の前記第１光学機能面の光軸上の位置より０．００５ｍｍ〜０．５ｍｍ他方の光学機能部側に位置していることを特徴とする１４〜１９のいずれかに記載の光ピックアップ装置用対物レンズ。
【手続補正２４】
【補正対象書類名】明細書
【補正対象項目名】００３４
【補正方法】削除
【補正の内容】
【手続補正２５】
【補正対象書類名】明細書
【補正対象項目名】００３５
【補正方法】削除
【補正の内容】
【手続補正２６】
【補正対象書類名】明細書
【補正対象項目名】００３６
【補正方法】削除
【補正の内容】
【手続補正２７】
【補正対象書類名】明細書
【補正対象項目名】００３７
【補正方法】削除
【補正の内容】
【手続補正２８】
【補正対象書類名】明細書
【補正対象項目名】００３８
【補正方法】削除
【補正の内容】
【手続補正２９】
【補正対象書類名】明細書
【補正対象項目名】００３９
【補正方法】削除
【補正の内容】
【手続補正３０】
【補正対象書類名】明細書
【補正対象項目名】００４０
【補正方法】削除
【補正の内容】
【手続補正３１】
【補正対象書類名】明細書
【補正対象項目名】００４１
【補正方法】削除
【補正の内容】
【手続補正３２】
【補正対象書類名】明細書
【補正対象項目名】００４２
【補正方法】削除
【補正の内容】